(57)【特許請求の範囲】
【請求項１】
人工透析の患者に処方される複数の処方薬剤のそれぞれについて、当該処方薬剤を識別するための処方薬情報を含む薬剤リストを記憶するための記憶部と、
投与の候補となる薬剤を識別するための薬情報を取得するための情報取得部と、
複数の前記処方薬情報を、前記情報取得部により取得された前記薬情報と照合する照合部と、
情報を表示するための表示部と、
前記複数の処方薬情報を、予め定められた順序に従って前記表示部に表示するための表示制御部と、
前記照合部を制御する制御部と、を備え、
前記薬剤リストは、当該処方薬情報が前記薬情報と照合される順序を示す照合順序情報および前記処方薬剤の投与の順序を含み、
前記予め定められた順序は、前記処方薬情報の前記照合順序情報が示す照合順序または前記処方薬剤の投与の順序に従った順序を示し、
前記制御部は、
前記情報取得部により前記薬情報が取得される毎に、
前記照合部に、前記記憶部の前記複数の処方薬情報から前記予め定められた順序に従って１の処方薬情報を選択させ、且つ、選択された１の処方薬情報を当該取得された薬情報と照合する処理を、繰返し実施させる、透析管理装置。
【請求項２】
前記表示制御部は、前記繰返し実施において、
前記照合部による照合が実施される毎に、当該照合の結果を前記表示部に表示する、請求項１に記載の透析管理装置。
【請求項３】
前記表示制御部は、前記繰返し実施において、
前記照合部による照合が実施される毎に、当該照合の結果を、前記表示部において当該照合のために選択された前記１の処方薬情報に関連付けて表示する、請求項１または２に記載の透析管理装置。
【請求項４】
前記制御部は、前記繰返し実施において、
前記照合の結果が一致を示す場合には、前記照合部に、前記情報取得部により取得される前記薬情報と、前記予め定められた順序に従って選択された次位の前記処方薬情報とを照合させ、
前記照合の結果が不一致を示す場合には、前記照合部に、前記情報取得部により取得される前記薬情報と、直前に選択された前記処方薬情報とを照合をさせ、
前記表示制御部は、前記繰返し実施において、
前記照合の結果が不一致を示す毎に、次回の照合は、前記直前に選択された処方薬情報についての照合である旨を、前記表示部に表示する、請求項１から３のいずれか１項に記載の透析管理装置。
【請求項５】
前記透析管理装置は、人工透析ユニットに接続可能であり、
前記透析管理装置は、
前記照合部の照合により、前記記憶部の複数の前記処方薬情報と前記情報取得部によって取得される複数の前記薬情報との一致が確認されたとき、人工透析を開始させるための制御信号を、前記人工透析ユニットに出力する、請求項１から４のいずれか１項に記載の透析管理装置。
【請求項６】
前記透析管理装置に対するユーザ操作を受付けるための操作受付部をさらに備え、
前記透析管理装置は、
前記一致が確認されたとき、前記操作受付部を介して前記ユーザ操作を受付けて、受付けた当該ユーザ操作に基づく前記制御信号を、前記人工透析ユニットに出力する、請求項５に記載の透析管理装置。
【請求項７】
前記透析管理装置は、人工透析ユニットに接続可能であり、
前記複数の処方薬剤は、前記人工透析ユニットを介して投与される薬剤と、経口により投与される薬剤とを含み、
前記予め定められた順序が前記投与の順序に従った順序を示す場合、当該予め定められた順序において、前記人工透析ユニットを介して投与される薬剤の前記処方薬情報は、前記経口により投与される薬剤の前記処方薬情報よりも前に位置する、請求項１から６のいずれか１項に記載の透析管理装置。
【請求項８】
請求項１〜７のいずれか１項に記載の透析管理装置と、当該透析管理装置と通信する情報処理装置と、を備え、
前記情報処理装置は、人工透析の患者に処方される複数の薬剤のそれぞれについて、当該薬剤を識別するための前記処方薬情報を、前記透析管理装置に送信する、透析管理システム。
【請求項９】
プロセッサを備えるコンピュータに透析管理方法を実行させるためのプログラムであって、
前記プログラムは、前記プロセッサに、
投与の候補となる薬剤を識別するための薬情報を取得するステップと、
記憶部に格納された薬剤リストに含まれる、患者に処方される複数の処方薬剤それぞれを識別するための各処方薬情報を、取得された前記薬情報と照合するステップと、
前記複数の処方薬剤のそれぞれの前記処方薬情報を、予め定められた順序に従って表示するステップと、を実行させ、
前記薬剤リストは、前記処方薬情報が前記薬情報と照合される順序を示す照合順序情報および前記処方薬剤の投与の順序を含み、
前記予め定められた順序は、前記処方薬情報の前記照合順序情報が示す照合順序または前記処方薬剤の投与の順序に従った順序を示し、
前記照合するステップは、
前記取得するステップにおいて前記薬情報が取得される毎に、前記予め定められた順序に従って複数の前記処方薬情報から１の処方薬情報を選択し、且つ選択された１の処方薬情報を当該取得された薬情報と照合する処理を繰返すステップを含む、プログラム。
【発明の詳細な説明】
【技術分野】
【０００１】
本発明は、人工透析のための透析管理装置、透析管理システムおよびプログラムに関し、特に、透析のための薬剤を管理する透析管理装置、透析管理システムおよびプログラムに関する。
【背景技術】
【０００２】
従来、看護師が患者に投与された薬剤が、医師が当該患者に処方した薬剤と一致しないとの医療事故を防止するためのシステムが提案されている。
【０００３】
例えば、特許文献１（特開２００１−３１２５６６号公報）の医療行為事故防止支援システムは、患者に対し施される医療行為計画の情報と、認識装置が取り込んだ医療行為を特定する情報とを照合し、施されようとしている医療行為が間違いないかをチェックし記録する。
【０００４】
また、特許文献２（特開２００３−９９５３４号公報）の投薬支援システムは、記憶手段から読み出した処方の薬剤情報と、投与者が読取手段で読取った薬剤情報とが合致するか否かを判定し、合致した薬剤の薬剤画像等を識別し得るように表示する。
【０００５】
また、特許文献３（特開２０１４−３０７号公報）の血液浄化装置は、血液浄化に関する重要な情報の表示を表示画面にて確実に行わせるための構成を有する。
【先行技術文献】
【特許文献】
【０００６】
【特許文献１】特開２００１−３１２５６６号公報
【特許文献２】特開２００３−９９５３４号公報
【特許文献３】特開２０１４−３０７号公報
【発明の概要】
【発明が解決しようとする課題】
【０００７】
上記に述べた特許文献１の段落００５１では、「医療行為に使用される使用物識別手段の認識がされると、その患者の医療行為の計画と一致しているか照合し、必要に応じその結果を出力する」および「点滴作業を行うのに使用する使用物だけを読みこませて、全て整った時に、点滴作業を施してもよいサインを出力する」ことが記載されている。
【０００８】
このように、特許文献１では、使用物についての照合の順番は規定されていない。したがって、作業者は、使用物について、手当たり次第に、その識別情報を医療行為の計画と照合することとなるため、同じ使用物についての照合が繰返される可能性がある。その場合には、全ての使用物の照合が完了するまでに時間を要し、作業者は照合作業に負担を感じる。また、このような負担感により、医療事故が引き起こされる可能性がある。
【０００９】
それゆえに、本開示のある局面における目的は、医療事故を防止し得る透析管理装置、透析管理システムおよびプログラムを提供することである。
【課題を解決するための手段】
【００１０】
一実施の形態に従う透析管理装置は、人工透析の患者に処方される複数の処方薬剤のそれぞれについて、当該処方薬剤を識別するための処方薬情報を記憶するための記憶部と、投与の候補となる薬剤を識別するための薬情報を取得するための情報取得部と、複数の処方薬情報を、情報取得部により取得された薬情報と照合する照合部と、情報を表示するための表示部と、複数の処方薬情報を、予め定められた順序に従って表示部に表示するための表示制御部と、照合部を制御する制御部と、を備え、制御部は、情報取得部により薬情報が取得される毎に、照合部に、記憶部の複数の処方薬情報から予め定められた順序に従って処方薬情報を選択させ、且つ、選択された処方薬情報を当該取得された薬情報と照合する処理を、繰返し実施させる。
【００１１】
好ましくは、表示制御部は、繰返し実施において、照合部による照合が実施される毎に、当該照合の結果を表示部に表示する。
【００１２】
好ましくは、表示制御部は、繰返し実施において、照合部による照合が実施される毎に、当該照合の結果を、表示部において当該照合のために選択された処方薬情報に関連付けて表示する。
【００１３】
好ましくは、制御部は、繰返し実施において、照合の結果が一致を示す場合には、照合部に、情報取得部により取得される薬情報と、予め定められた順序に従って選択された次位の処方薬情報とを照合させ、照合の結果が不一致を示す場合には、照合部に、情報取得部により取得される薬情報と、直前に選択された処方薬情報とを照合をさせる。表示制御部は、繰返し実施において、照合の結果が不一致を示す毎に、次回の照合は、直前に選択された処方薬情報についての照合である旨を、表示部に表示する。
【００１４】
好ましくは、透析管理装置は、人工透析ユニットに接続可能であり、透析管理装置は、照合部の照合により、記憶部の複数の処方薬情報と情報取得部によって取得される複数の薬情報との一致が確認されたとき、人工透析を開始させるための制御信号を、人工透析ユニットに出力する。
【００１５】
好ましくは、透析管理装置に対するユーザ操作を受付けるための操作受付部をさらに備え、透析管理装置は、一致が確認されたとき、操作受付部を介してユーザ操作を受付けて、受付けた当該ユーザ操作に基づく制御信号を、人工透析ユニットに出力する。
【００１６】
好ましくは、透析管理装置は、人工透析ユニットに接続可能であり、複数の処方薬剤は、人工透析ユニットを介して投与される薬剤と、経口により投与される薬剤とを含み、予め定められた順序において、人工透析ユニットを介して投与される薬剤の処方薬情報は、経口により投与される薬剤の処方薬情報よりも前に位置する。
【００１７】
一実施の形態の他の局面に従うと、上記に述べた透析管理装置と、当該透析管理装置と通信する情報処理装置と、を備えた透析管理システムでは、情報処理装置は、人工透析の患者に処方される複数の薬剤のそれぞれについて、当該薬剤を識別するための処方薬情報を、透析管理装置に送信する。
【００１８】
一実施の形態の他の局面に従うと、プロセッサを備えるコンピュータに透析管理方法を実行させるためのプログラムが提供される。
【００１９】
プログラムは、投与の候補となる薬剤を識別するための薬情報を取得するステップと、患者に処方される複数の処方薬剤それぞれを識別するための各処方薬情報を、取得された薬情報と照合するステップと、複数の処方薬剤のそれぞれの処方薬情報を、予め定められた順序に従って表示するステップと、を実行させる。照合するステップは、取得するステップにおいて薬情報が取得される毎に、予め定められた順序に従って複数の処方薬情報から処方薬情報を選択し、且つ選択された処方薬情報を当該取得された薬情報と照合する処理を繰返すステップを含む。
【００２０】
この発明の上記および他の目的、特徴、局面および利点は、添付の図面と関連して理解されるこの発明に関する次の詳細な説明から明らかとなるであろう。
【図面の簡単な説明】
【００２１】
【図１】本実施の形態に係るシステムの概略構成図である。
【図２】本実施の形態に係る透析管理装置１のハードウェア構成図である。
【図３】本実施の形態に係る透析管理のための機能構成を示す図である。
【図４】本実施の形態に係る薬剤リスト１８の一例を示す図である。
【図５】本実施の形態に係る薬剤リスト１８の表示の一例を示す図である。
【図６】本実施の形態に係る薬剤リスト１８の表示の他の例を示す図である。
【図７】本実施の形態に係る透析管理のための処理を表すフローチャートである。
【発明を実施するための形態】
【００２２】
以下、図面を参照しつつ、患者に対して人工透析を施すための透析管理装置を説明する。以下の説明では、図面中の同一の部材には同一の参照符号を付してある。それらの名称および機能も同じである。したがって、以下の説明では、それらについての詳細な説明は繰り返さない。
【００２３】
＜技術思想＞
本実施の形態に係る技術思想は、以下のとおりである。
【００２４】
透析管理装置は、人工透析の患者に処方される複数の処方薬剤のそれぞれについて、当該処方薬剤の識別情報を、予め定められた順序に従って並べて表示する。情報取得部により当該患者に投与される候補の各薬剤について、識別情報である投薬情報が取得される毎に、透析管理装置は、複数の処方薬情報のうちから上述の予め定められた順序に従って選択された処方薬情報と、当該取得された投薬情報との照合を繰返し実施する。
【００２５】
このように、処方薬情報を投薬情報と照合する処理は、予め定められた順序に従って、繰返し実施される。これにより、上述のように手当たり次第の照合作業に比較して照合のための所要時間を短縮することができ、照合作業の負担感は軽減される。その結果、当該負担感による医療事故を防止することができる。
【００２６】
＜構成＞
図１は、本実施の形態に係るシステムの概略構成図である。システムは、医師側コンピュータ２と、透析管理装置１とを含む。医師側コンピュータ２と透析管理装置１は、通信回線６を介して互いに接続される。透析管理装置１は、バーコードリーダ３および透析ユニット４と接続される。通信回線６は、有線または無線のＬＡＮ（Local Area Network）を含む。図１のシステムは「透析管理システム」の一実施例である。医師側コンピュータ２は、「情報処理装置」の一実施例である。
【００２７】
透析管理装置１は、表示部１７および小物トレイ１９を備える。小物トレイ１９の上には、ユーザ（ユーザ、看護師を含む）が、患者への投与の候補となる薬剤を置くための受け皿に相当する。
【００２８】
透析ユニット４は、患者に人工透析を施すための回路を含む。透析ユニット４は、図示しない血液透析器を有する。血液透析器により、体外循環する患者の血流に対して、浄化治療が施されて、浄化後の血流が体内に戻される。透析ユニット４の構成は周知のものであるので、ここでは詳細な説明を繰返さない。
【００２９】
バーコードリーダ３は、投与の候補である薬剤５に付されたバーコード５１の画像を光学的に走査し、走査により読取られたデータを透析管理装置１に出力する。
【００３０】
図２は、本実施の形態に係る透析管理装置１のハードウェア構成図である。透析管理装置１は、プロセッサを備えるコンピュータに相当する。具体的には、透析管理装置１は、ＣＰＵ（Central Processing Unit）１０、通信回線６を介した通信を制御するための通信部１１、メモリ１２、入力デバイス１３、バーコードリーダ３、透析ユニット４との間で信号を入出力するための透析ユニットＩ／Ｆ（Interface）１６、および液晶ディスプレイを含む表示部１７を備える。
【００３１】
通信部１１は、通信用のモデムを含む。通信部１１は、通信回線６を介して、医師側コンピュータ２と通信する。通信部１１が医師側コンピュータ２から受信するデータには、後述する薬剤リスト１８が含まれる。薬剤リスト１８は、医師が患者に処方する複数の薬剤のそれぞれについて、当該薬剤の識別情報である処方薬情報４１を含む。
【００３２】
メモリ１２は、プログラムおよびデータを不揮発的に格納するＲＯＭ（Read Only Memory）、プログラムおよびデータを揮発的に格納するＲＡＭ（Random Access Memory）、プログラムおよびデータを不揮発的に格納するＨＤＤ(Hard Disc Drive)等を含む。メモリ１２は、「記憶部」の一実施例に相当する。
【００３３】
入力デバイス１３は、ボタン、スイッチ、およびタッチパッドを含む。本実施の形態では、入力デバイス１３のタッチパッドと表示部１７のディスプレイパネルは、一体的に組み合わされたタッチパネルとして提供される。
【００３４】
透析ユニットＩ／Ｆ１６は、透析ユニット４との間で信号を入出力する。
図３は、本実施の形態に係る透析管理のための機能構成を示す図である。図３の各部は、ＣＰＵ１０により実行されるプログラム、または各機能を実現する複数の回路の組合せにより実現される。
【００３５】
図３を参照して、ＣＰＵ１０は、照合部３０、情報取得部３１、記憶制御部３２、信号生成部３３、操作受付部３４、および表示制御部３５を含む。
【００３６】
情報取得部３１は、薬剤５を識別するための薬情報４２を取得し、取得された薬情報４２を照合部３０に出力する。具体的には、情報取得部３１は、バーコードリーダ３によって得られたデータを受付け、受付けたデータに誤り訂正等の処理を施す。薬情報４２は、当該処理後のデータを示す。
【００３７】
記憶制御部３２は、メモリ１２へのデータの格納およびメモリ１２からのデータの読出しを制御する。
【００３８】
照合部３０は、記憶制御部３２によりメモリ１２から読出された薬剤リスト１８の処方薬情報４１を、情報取得部３１により取得された薬情報４２と照合し、照合結果を出力する。照合結果は、処方薬情報４１と薬情報４２とが一致するか否かを示す。処方薬情報４１の詳細は、後述する。
【００３９】
信号生成部３３は、透析ユニット４の各回路を制御するための信号を生成し、生成された制御信号を、透析ユニットＩ／Ｆ１６を介して透析ユニット４の各回路に出力する。
【００４０】
操作受付部３４は、透析管理装置１に対するユーザの操作内容を、入力デバイス１３を介して受付ける。操作内容は、ユーザによるボタン、スイッチ、およびタッチパネの操作を含む。
【００４１】
表示制御部３５は、記憶制御部３２によりメモリ１２から読出された薬剤リスト１８に基づく画像データを生成し、当該画像データに基づき、画像を表示するよう表示部１７を制御する。また、表示制御部３５は、照合部３０からの照合結果に基づく情報を表示するよう表示部１７を制御する。
【００４２】
図４は、本実施の形態に係る薬剤リスト１８の一例を示す図である。薬剤リスト１８は、医師側コンピュータ２において医師の操作により患者毎に生成される。生成された薬剤リスト１８は、通信回線６を介して透析管理装置１に送信される。
【００４３】
図４を参照して、薬剤リスト１８は、患者の氏名および複数のレコードを含む。各レコードは、当該薬剤の識別情報として、照合順序番号８Ａ、薬剤の名称８Ｂおよび処方薬情報４１を含む。また、当該レコードは、当該薬剤に関連する情報として、投与量を表す数量、投与量の単位、およびマニュアル情報を含む。マニュアル情報は、投与の順番と、注意事項の情報とを含む。処方薬情報４１は、当該薬剤のバーコードに対応するデータを含む。照合順序番号８Ａは、対応の処方薬情報４１が、照合部３０により薬情報４２と照合される順序を規定するための情報である。図４では、照合順序番号８Ａは、数値（１，２，３、・・・）により示されている。
【００４４】
本実施の形態では、患者に薬剤５の投与が実施される際には、情報取得部３１により薬剤５からバーコードリーダ３を介して薬情報４２が取得される。薬情報４２が取得される毎に、照合部３０は、薬剤リスト１８の複数の処方薬情報４１のうちから、予め定められた順序に従って１つの処方薬情報４１を選択し、選択された処方薬情報４１と当該取得された薬情報４２とを照合する。この“予め定められた順序”は、図４の照合順序番号８Ａの値により示される。例えば、“予め定められた順序”が照合順序番号８Ａの値（１，２，３、・・・）の昇順である場合には、照合部３０は、図４の薬剤リスト１８から、処方薬情報４１として“ＨＥ１”、“ＨＥ２”、“ＨＥ３”、…“ＨＥｎ”の順に処方薬情報４１を選択する。一方、“予め定められた順序”が照合順序番号８Ａの値の降順である場合には、照合部３０は、処方薬情報４１として“ＨＥｎ”…“ＨＥ３”、“ＨＥ２”、“ＨＥ１”の順に処方薬情報４１を選択する。
【００４５】
図５は、本実施の形態に係る薬剤リスト１８の表示の一例を示す。図６は、本実施の形態に係る薬剤リスト１８の表示の他の例を示す。表示制御部３５は、表示部１７に、患者の氏名と、薬剤リスト１８の処方薬剤に関する情報とを並べて一覧として表示する。具体的には、表示制御部３５は、表示部１７に、上記の“予め定められた順序”に従って、複数の処方薬情報４１を並べてで表示する。
【００４６】
したがって、本実施の形態では、照合のために薬剤リスト１８から処方薬情報４１が選択される順序は、図５の表示部１７の情報の並びにおける当該処方薬情報４１の順序に一致する。
【００４７】
また、図５の画面では、チェックボックス２１が表示される。チェックボックス２１は、薬剤リスト１８の各処方薬剤に関する情報に関連付けられて、より特定的には対応付けて表示される。表示制御部３５は、照合部３０からの照合結果に基づき、チェックボックス２１の表示を制御する。具体的には、照合結果が処方薬情報４１と薬情報４２の一致を示す場合には、当該処方薬情報４１に関連のチェックボックス２１が点灯（反転）表示される。一方、照合結果が不一致を示す場合には、当該関連のチェックボックス２１を点灯（反転）表示されることなく、消灯のままとされる。
【００４８】
図６には、薬剤リスト１８の全ての処方薬情報４１についての照合が完了した場合の画面の表示例が示される。図６では、全ての処方薬情報４１について、チェックボックス２１が点灯（反転）表示されているとともに、人工透析を開始させるために操作されるボタン２２が表示されている。
【００４９】
このように、本実施の形態では、照合部３０の照合により、薬剤リスト１８の複数の処方薬情報４１が情報取得部３１により取得される複数の薬情報４２と一致することが確認されるまでは、上記のボタン２２は表示されない。したがって、医師により処方されている薬剤が全て準備されていない（照合が完了していない）段階で、人工透析が開始されるのを防止できて、薬剤の準備不足による医療事故を回避することができる。
【００５０】
なお、“予め定められた順序”は、上記に述べた昇順，降順に限定されず、例えば、処方薬剤を投与する順序に一致させてもよい。具体的には、実施の形態の背景として、人工透析では、透析ユニット４を介した薬剤の投与の方が、経口による薬剤の投与よりも先に実施される。したがって、透析ユニット４を介して投与される種類の薬剤の処方薬情報４１を、経口により投与される種類の薬剤の処方薬情報４１よりも前方に位置するように“予め定められた順序”が決定されてもよい。例えば、図５の“予め定められた順序”によれば、透析ユニット４を介して投与される種類の薬剤２０Ａの処方薬情報４１の方が、経口により投与される薬剤２０Ｂの処方薬情報４１よりも前方に位置している。
【００５１】
また、表示制御部３５は、図５において、経口により投与される種類の薬剤２０Ｂの情報とは異なる態様で、透析ユニット４を介して投与される種類の薬剤２０Ａの情報を表示してもよい。当該異なる表示態様としては、例えば、表示色の変更、または特別なマーク画像の付加等を含むが、その他の表示態様が用いられてもよい。
【００５２】
＜処理＞
図７は、本実施の形態に係る透析管理のための処理を表すフローチャートである。当該フローチャートに従うプログラムは、メモリ１２に格納される。ＣＰＵ１０は、メモリ１２からプログラムを読出し、読出されたプログラムを実行する。
【００５３】
まず、透析管理装置１のＣＰＵ１０は、通信部１１を介して、医師側コンピュータ２から患者の薬剤リスト１８を受信する。受信された薬剤リスト１８は、記憶制御部３２によりメモリ１２に格納される（ステップＳ１）。
【００５４】
表示制御部３５は、メモリ１２から読出された薬剤リスト１８に基づく画像データを生成し、生成された画像データに基づく画像（図５参照）を、表示部１７に表示させる（ステップＳ２）。
【００５５】
ユーザは、表示部１７に表示されている情報（図５参照）を確認しながら、処方されている薬剤を準備する。具体的には、ユーザは、図５の各名称８Ｂの薬剤５を薬品棚から取り出し、小物トレイ１９に置く。
【００５６】
ユーザは、透析管理装置１を操作して、照合の開始を指示する。照合の開始が指示されると、情報取得部３１は、バーコードリーダ３から読み取られたデータ（すなわち、薬情報４２）を受付けるか否かを判断する（ステップＳ３）。具体的には、ユーザは、バーコードリーダ３により、小物トレイ１９上の薬剤５のバーコード５１の画像を走査する。情報取得部３１は、バーコードリーダ３から読み取られたデータに基づき、薬情報４２を受付けたか否かを判断する。情報取得部３１は、受付けた薬情報４２を照合部３０に出力する。
【００５７】
情報取得部３１が、薬情報４２を取得しないと判断する間は（ステップＳ３でＮＯ）、ステップＳ３の処理が繰返される。
【００５８】
一方、情報取得部３１により薬情報４２が取得されたと判断されると（ステップＳ３でＹＥＳ）、照合部３０による照合処理が実施される（ステップＳ４）。
【００５９】
照合処理では、照合部３０は、記憶制御部３２を介して、メモリ１２の薬剤リスト１８の複数の処方薬情報４１のうちから、予め定められた順序に従って、１つの処方薬情報４１を選択的に読出す。照合部３０は、読出された処方薬情報４１と、ステップＳ３で取得された薬情報４２とを照合する。
【００６０】
この処理フローでは、“予め定められた順序”は、薬剤リスト１８の照合順序番号８Ａの値の昇順であるとする。したがって、照合部３０は、まず、照合順序番号８Ａが“１”である処方薬情報４１（コード“ＨＥ１”）を選択し、選択された処方薬情報４１を薬情報４２と照合する。
【００６１】
ＣＰＵ１０は、ステップＳ４の照合の結果が、処方薬情報４１は薬情報４２に一致していることを示すか否かを判断する（ステップＳ５）。ＣＰＵ１０が、照合結果は不一致を示すと判断すると（ステップＳ５でＮＯ）、表示制御部３５は、エラー情報を表示部１７に表示する（ステップＳ６）。エラー情報は、“次回の照合は、直前のステップＳ４において選択された処方薬情報４１についての照合である”ことを表すメッセージを含む。例えば、“照合できませんでした。画面の表示順序に従って薬剤のバーコードを、再度読み込んで下さい”とのメッセージを含む。その後、処理はステップＳ３に戻る。
【００６２】
ＣＰＵ１０が、照合結果は不一致であると判断すると（ステップＳ５でＮＯ）、照合部３０は、次位の処方薬情報４１についての照合を実施しない。具体的には、照合部３０は、ステップＳ３で新たに取得された薬情報４２と、直前のステップＳ４で既に選択されていた処方薬情報４１（すなわち、コード“ＨＥ１”）とを照合する（ステップＳ４）。
【００６３】
一方、ＣＰＵ１０が、照合結果は一致であると判断すると（ステップＳ５でＹＥＳ）、表示制御部３５は、当該処方薬情報４１に関連のチェックボックス２１を反転して表示部１７に表示する（ステップＳ７）。
【００６４】
次に、ＣＰＵ１０は、薬剤リスト１８に次に照合すべき処方薬情報４１があるか否か、すなわち未だ照合されていない処方薬情報４１があるか否かを判断する（ステップＳ８）。ＣＰＵ１０が、未だ照合されていない処方薬情報４１があると判断すると（ステップＳ８でＹＥＳ）、処理はステップＳ３に戻る。予め定められた順序における次位の処方薬情報４１についての照合処理が、上述と同様に繰返される。
【００６５】
この場合に、ユーザにより新たな薬剤５のバーコードからデータが読取られて、ステップＳ３では、情報取得部３１により当該データに基づく薬情報４２が取得される。そして、ステップＳ４では、照合部３０が予め定められた順序に従って薬剤リスト１８から次位の処方薬情報４１（コード“ＨＥ２”）を選択し、当該次位の薬情報４２を上記の新たに取得された薬情報４２と照合する（ステップＳ４）。
【００６６】
上記に述べたステップＳ３〜Ｓ８の処理によれば、照合部３０は、照合結果が不一致を示す場合には（ステップＳ５でＮＯ）、次位の処方薬情報４１についての照合を実施しない。照合結果が一致を示す場合に（ステップＳ５でＹＥＳ）のみ、次位の処方薬情報４１についての照合を実施するように、照合部３０が制御される。したがって、照合結果が一致を示さない場合に、次位の処方薬情報４１についての照合が実施される（これを、“順序飛ばし照合”ともいう）ことが防止される。
【００６７】
ＣＰＵ１０が、薬剤リスト１８に照合されていない処方薬情報４１がない、すなわち、全ての処方薬情報４１について照合処理が実施されたと判断すると（ステップＳ８でＮＯ）、照合の処理は終了し、処理はステップＳ９に移行する。
【００６８】
ステップＳ９では、表示制御部３５は、表示部１７にボタン２２を点灯表示する。
操作受付部３４は、入力デバイス１３を介してユーザ操作を受付けたと判断するまで待機する（ステップＳ１０でＮＯ）。操作受付部３４は、ユーザ操作を受付けたと判断すると（ステップＳ１０でＹＥＳ）、受付けた操作内容を信号生成部３３に出力する。
【００６９】
信号生成部３３は、受付けられた操作内容に基づく制御信号を生成する。生成された制御信号は、透析ユニットＩ／Ｆ１６を介して透析ユニット４に出力される（ステップＳ１１）。ここでは、ステップＳ１０におけるユーザ操作は、ボタン２２の操作であるとする。したがって、信号生成部３３は、ボタン２２の操作内容に基づき、透析開始を指示する制御信号を生成する。当該制御信号は、例えば、透析ユニット４のプライミング回路（図示しない）を駆動する命令を含む。透析ユニット４が制御信号に従って動作することにより、プライミングを含む人工透析が実施される。
【００７０】
このように、ステップＳ９〜Ｓ１１の処理では、薬剤リスト１８の複数の処方薬情報４１が情報取得部３１により取得された複数の薬情報４２と一致したことを条件に、人工透析を開始させるための制御信号が出力される。
【００７１】
したがって、上記の順序飛ばし照合がなされることなく、患者に処方された薬剤５が全て準備されたことが照合部３０の照合結果によって確認されるまでは（ステップＳ８でＮＯと判断されるまでは）、透析ユニット４による人工透析は開始されない。これにより、薬剤の準備不足による医療事故を防止することができる。
【００７２】
なお、上述の実施の形態に係る透析管理装置１を実現するための機能は、ある局面において、プログラムを格納するメモリおよび当該プログラムに含まれる命令を実行するプロセッサにより実現される。当該プログラムは、透析管理装置１の不揮発性のデータ記録媒体（たとえばフラッシュメモリ）に予め格納されている。別の局面において、当該プログラムは、通信回線６、および図示しないインターネットその他のネットワークを介して、当該プログラムの提供者からダウンロード可能であってもよい。この場合、通信方式は特に限定されない。さらに別の局面において、当該機能は、各処理を実現する回路の組み合わせによっても実現され得る。
【００７３】
＜変形例＞
上記の実施の形態の各変形例を説明する。
【００７４】
（変形例１）
本実施の形態では、処方薬情報４１および薬情報４２として、バーコード５１の画像に基づくデータを説明したが、バーコード５１のデータに限定されない。例えば、薬剤に添付されたメモリデバイス（処方薬情報４１，薬情報４２が記録されたＩＣ（Integrated Circuit）チップ、ＩＣカード、磁気チップ等）からリーダ装置により読出された情報であってもよい。また、処方薬情報４１および薬情報４２として薬剤の画像が用いられてもよい。その場合には、バーコードリーダ３に代わって薬剤５を撮像するためのＣＣＤ（Charge Coupled Device）カメラが用いられる。また、処方薬情報４１および薬情報４２として薬剤の名称８Ｂを用いてもよい。
【００７５】
（変形例２）
図７の処理において、ステップＳ６でエラー情報が表示されたときは、ユーザが当該エラー情報の表示を解除するための操作をするまでは、ステップＳ３における薬情報４２の取得処理が実施されないようにしてもよい。
【００７６】
具体的には、ステップＳ６で表示されたエラー情報を解除（表示を消去）するために、ユーザはタッチパネルを介して当該エラー情報をタッチ操作する。操作受付部３４により当該タッチ操作が受付けられたとき、情報取得部３１により、薬情報４２の取得処理（ステップＳ３）が実施される。
【００７７】
（変形例３）
本実施の形態では、透析管理装置１において照合処理が実施されたが、照合処理は透析管理装置１に代えて医師側コンピュータ２等のシステムの他のコンピュータで実施されてもよい。この場合には、照合部３０は、透析管理装置１に代えて他のコンピュータに備えられる。
【００７８】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００７９】
１  透析管理装置、２  医師側コンピュータ、３  バーコードリーダ、５，２０Ａ，２０Ｂ  薬剤、６  通信回線、８Ａ  照合順序番号、８Ｂ  名称、１１  通信部、１２  メモリ、１７  表示部、１８  薬剤リスト、２１  チェックボックス、２２  ボタン、３０  照合部、３１  情報取得部、３２  記憶制御部、３３  信号生成部、３４  操作受付部、３５  表示制御部、４１  処方薬情報、４２  薬情報、５１  バーコード。
【図１】
0006759541.tif 000002
【図２】
0006759541.tif 000003
【図３】
0006759541.tif 000004
【図４】
0006759541.tif 000005
【図５】
0006759541.tif 000006
【図６】
0006759541.tif 000007
【図７】
0006759541.tif 000008